(57)【要約】  流体監視モジュールは、エンクロージャ内に配置された流れ感知デバイスおよびコントローラを含む。流れ感知デバイスは、入口ポート、出口ポート、上流センサポート、下流センサポート、および、入口ポートと出口ポートとの間かつ上流センサポートと下流センサポートとの間に配置された流路を含む本体を含む。第１の流体センサは上流センサポートに組み付けられ、第２の流体センサは下流センサポートに組み付けられる。コントローラは、第１および第２の流体センサの各々からの圧力表示信号および温度表示信号の少なくとも１つを受信するため、および受信信号に基づいて流体データを測定するために、第１および第２の流体センサと回路通信している。【選択図】図１２
2021536577.tif 000002
【特許請求の範囲】
【請求項１】
入口ポート、出口ポート、上流センサポート、下流センサポート、および、前記入口ポートと前記出口ポートとの間かつ前記上流センサポートと前記下流センサポートとの間に配置された流れ制限通路を含む本体と、
前記上流センサポートに組み付けられた第１の流体センサと、
前記下流センサポートに組み付けられた第２の流体センサと
を含む流れ感知デバイスと、
エンクロージャと、
前記第１および第２の流体センサの各々からの圧力表示信号および温度表示信号の少なくとも１つを受信するため、および前記受信信号に基づいて流体データを測定するために、前記第１および第２の流体センサと回路通信しており、前記エンクロージャ内に配置されたコントローラと
を備える、流体監視モジュール。
【請求項２】
前記流れ通路は、層流を提供するように構成される、請求項１に記載の流体監視モジュール。
【請求項３】
前記エンクロージャ内に配置され、前記コントローラと電気接続されたバッテリ装置を更に備える、請求項１および２のいずれかに記載の流体監視モジュール。
【請求項４】
前記コントローラからの前記流体データを遠隔デバイスへ無線通信するための無線送信器を更に備える、請求項１〜３のいずれかに記載の流体監視モジュール。
【請求項５】
前記流体データは、流体圧力、流体温度、および流体流速の少なくとも１つを備える、請求項１〜４のいずれかに記載の流体監視モジュール。
【請求項６】
前記エンクロージャの外側表面に配置され、前記コントローラと回路通信しているユーザインタフェースを更に備え、前記ユーザインタフェースは、前記測定された流体データに対応する情報を表示するように構成される、請求項１〜５のいずれかに記載の流体監視モジュール。
【請求項７】
前記ユーザインタフェースは、表示スクリーンを備える、請求項６に記載の流体監視モジュール。
【請求項８】
前記ユーザインタフェースは、デジタル表示およびマルチバー表示の１つに配置されたＬＥＤアレイを備える、請求項６に記載の流体監視モジュール。
【請求項９】
前記複数のＬＥＤは、複数の多色ＬＥＤを備え、前記コントローラは、前記複数のＬＥＤを、第１の流体特性に対応する情報を表示するために第１の色で、および第２の流体特性に対応する情報を表示するために第２の色で照明するように構成される、請求項８に記載の流体監視モジュール。
【請求項１０】
前記第１の流体特性は、流速、温度、および圧力の１つを備え、前記第２の流体特性は、流速、温度、および圧力の他の１つを備える、請求項９に記載の流体監視モジュール。
【請求項１１】
前記流れ感知デバイス本体は、前記入口ポートおよび前記上流センサポートを画定する第１の本体部材と、前記出口ポートおよび前記下流センサポートを画定する第２の本体部材と、前記流れ制限通路を画定し、前記第１の本体部材の第１の接続ポートに連結された第１の端部接続および前記第２の本体部材の第２の接続ポートに連結された第２の端部接続を含む流れ制限要素とを含む、請求項１〜１０のいずれかに記載の流体監視モジュール。
【請求項１２】
前記第１および第２の端部接続は、ゼロクリアランスコネクタを備える、請求項１１に記載の流体監視モジュール。
【請求項１３】
前記第１および第２の接続ポートは、前記第１および第２の本体部材から第１の方向へ横方向に延び、前記流れ制限要素は、略Ｕ字形である、請求項１１に記載の流体監視モジュール。
【請求項１４】
前記流れ制限要素は、前記エンクロージャの外側にある、請求項１１〜１３のいずれかに記載の流体監視モジュール。
【請求項１５】
前記第１および第２のセンサポートの少なくとも１つは、対応する前記第１および第２の流体センサの少なくとも１つが前記エンクロージャ内に配置されるように、前記エンクロージャに取り付けられる、請求項１４に記載の流体監視モジュール。
【請求項１６】
前記第１および第２のセンサポートの少なくとも１つは、前記エンクロージャから離間しており、前記コントローラとの回路通信のために、対応する前記第１および第２の流体センサの少なくとも１つと前記エンクロージャとの間に有線接続が存在する、請求項１４および１５のいずれかに記載の流体監視モジュール。
【請求項１７】
前記流れ制限要素は、前記第１および第２の端部接続の少なくとも１つを画定する第１の連結部材を少なくとも備える、請求項１１〜１６のいずれかに記載の流体監視モジュール。
【請求項１８】
前記流れ制限通路は、前記第１の連結部材に一体に形成される、請求項１７に記載の流体監視モジュール。
【請求項１９】
前記流れ制限通路は、前記第１の連結部材に組み付けられた流れ制限インサートによって画定される、請求項１７に記載の流体監視モジュール。
【請求項２０】
前記流れ制限インサートは、前記第１および第２の端部接続の間の貫通ボア内に配置される、請求項１９に記載の流体監視モジュール。
【請求項２１】
前記流れ制限インサートは、前記第１および第２の端部接続の１つの中に配置される、請求項１９に記載の流体監視モジュール。
【請求項２２】
前記第１の連結部材と接合され、前記第１および第２の端部接続の他方を画定する第２の連結部材を更に備える、請求項１７〜２１のいずれかに記載の流体監視モジュール。
【請求項２３】
各々が内部上流通路によって接続された、入口ポート、上流センサポート、および第１の接続ポートを含む第１の本体部材と、
各々が内部下流通路によって接続された、出口ポート、下流センサポート、および第２の接続ポートを含む第２の本体部材と、
前記第１の接続ポートに連結された第１の端部接続、前記第２の接続ポートに連結された第２の端部接続、および前記第１および第２の端部接続の間に配置された流れ制限通路を含む流れ制限要素と、
前記上流センサポート内に取り付けられた上流圧力センサと、
前記下流センサポート内に取り付けられた下流圧力センサと
を備え、
前記第１および第２の端部接続は、前記第１および第２の本体部材を動かすことなく、前記流れ制限要素と前記第１および第２の接続ポートとの切断および接続を可能にするように構成される、流れ感知デバイス。
【請求項２４】
前記第１および第２の端部接続は、ゼロクリアランスコネクタを備える、請求項２３に記載の流れ感知デバイス。
【請求項２５】
前記第１および第２の接続ポートは、前記第１および第２の本体部材から第１の方向へ横方向に延び、前記流れ制限要素は、略Ｕ字形である、請求項２３に記載の流れ感知デバイス。
【請求項２６】
流体ライン内の流体条件を監視する方法であって、
第１のセンサポート内に密封して取り付けられ、コントローラと電気接続された第１の圧力センサを含む流体監視モジュールを提供することと、
前記第１の圧力センサによる第１の圧力表示データ信号の生成のために前記第１のセンサポートを前記流体ラインの第１の分岐コネクタに連結することと、
前記圧力表示データ信号を前記コントローラへ送信することと、
前記受信データ信号に基づいて流体データを測定することと
を備える、方法。
【請求項２７】
前記流体監視モジュールは、第２のセンサポート内に密封して取り付けられ、前記コントローラと電気接続された第２の圧力センサを更に含み、前記方法は、前記第２の圧力センサによる第２の圧力表示データ信号の生成のために前記第２のセンサポートを前記流体ラインの第２の分岐コネクタに連結することと、前記第２の圧力表示データ信号を前記コントローラへ送信することとを更に備える、請求項２６に記載の方法。
【請求項２８】
前記流体ラインは、前記第１の分岐コネクタと前記第２の分岐コネクタとの間に流れ制限を含み、前記受信データ信号に基づいて流体データを測定することは、前記第１および第２のセンサポートの間の圧力差に基づいて前記流れ制限を通る流速を測定することを備える、請求項２７に記載の方法。
【請求項２９】
前記流体監視モジュールは、上流通路によって前記第１のセンサポートに連結された入口コネクタと、下流通路によって前記第２のセンサポートに連結された出口コネクタと、前記上流および下流通路を接続する流れ制限通路とを含み、前記第１のセンサポートを前記第１の分岐コネクタに連結することは、前記入口コネクタを前記第１の分岐コネクタに接続することを備え、前記第２のセンサポートを前記第２の分岐コネクタに連結することは、前記出口コネクタを前記第２の分岐コネクタに接続することを備え、前記受信データ信号に基づいて流体データを測定することは、前記第１および第２のセンサポートの間の圧力差に基づいて前記流れ制限通路を通る流速を測定することを備える、請求項２７に記載の方法。
【請求項３０】
前記流体監視モジュールを通る全ての流体ライン流をバイパスさせることを更に備える、請求項２９に記載の方法。
【請求項３１】
前記第１および第２の分岐コネクタは、急速着脱カップリングを備える、請求項２７に記載の方法。
【請求項３２】
横方向に延びる入口および出口ポートと、軸方向に延びる上流および下流センサポートとを含む十字形本体であって、前記入口ポートは入口分岐ポートによって前記上流センサポートと流体連通状態に接続され、前記出口ポートは出口分岐ポートによって前記下流センサポートと流体連通状態に接続され、前記上流および下流センサポートは入口分岐ポートによって前記上流センサポートと流体連通状態に接続され、前記出口ポートは出口分岐ポートによって前記下流センサポートと流体連通状態に接続され、前記上流および下流センサポートは、前記上流センサポートから前記下流センサポートへ略軸方向に延びる流れ制限通路によって流体連通状態に接続されている、十字形本体と、
前記上流センサポート内に取り付けられた上流圧力センサと、
前記下流センサポート内に取り付けられた下流圧力センサと
を備える、流れ感知デバイス。
【請求項３３】
前記入口ポートは、前記出口ポートと略同軸上にある、請求項３１に記載の流れ感知デバイス。
【請求項３４】
前記上流センサポートは、前記下流センサポートと略同軸上にある、請求項３２および３３のいずれかに記載の流れ感知デバイス。
【請求項３５】
前記流れ制限通路は、軸方向に延びる通路を備える、請求項３２〜３４のいずれかに記載の流れ感知デバイス。
【請求項３６】
前記流れ制限通路は、蛇腹状通路を備える、請求項３２〜３５のいずれかに記載の流れ感知デバイス。
【請求項３７】
前記流れ制限通路は、複数の通路を備える、請求項３２〜３６のいずれかに記載の流れ感知デバイス。
【請求項３８】
前記流れ制限通路は、前記本体のキャビティ内に取り付けられたインサートによって画定される、請求項３２〜３７のいずれかに記載の流れ感知デバイス。
【請求項３９】
前記流れ制限通路は、前記本体のキャビティ内に取り付けられた流れ制限フィルタ要素によって画定される、請求項３２〜３４のいずれかに記載の流れ感知デバイス。
【請求項４０】
請求項３２〜３９のいずれかに記載の流れ感知デバイスと、
前記流れ感知デバイスの前記上流および下流圧力センサと回路通信しているコントローラであって、前記流れ感知デバイスを通る流速を算出するために前記上流および下流圧力センサからの信号を評価するように構成されたコントローラと
を備える、システム。
【請求項４１】
前記流れ感知デバイスは、第１の流れ感知デバイスを備え、前記システムは、請求項３２〜３９のいずれかに記載の第２の流れ感知デバイスを更に備え、前記コントローラは、前記第２の流れ感知デバイスの前記上流および下流圧力センサと回路通信している、請求項４０に記載のシステム。
【請求項４２】
入口および出口ポートと、上流および下流センサポートとを含む本体であって、前記入口ポートは内部上流通路によって前記上流センサポートと流体連通状態に接続され、前記出口ポートは下流内部通路によって前記下流センサポートと流体連通状態に接続され、前記上流および下流センサポートは、前記本体におけるキャビティ内に配置された流れ制限要素によって流体連通状態に接続されている、本体と、
前記上流センサポート内に取り付けられた上流圧力センサと、
前記下流センサポート内に取り付けられた下流圧力センサと
を備え、
前記流れ制限要素は、流路を画定する中央部と、環状凹部を形成する外周ソリッド部とを含み、流体汚染物質は、前記流路を閉塞または更に制限することなく、前記環状凹部内に集まる、流れ感知デバイス。
【請求項４３】
前記流れ制限要素の前記中央部は、略円錐形である、請求項４２に記載の流れ感知デバイス。
【請求項４４】
前記流れ制限要素の前記中央部の上流端部はソリッドであり、流体流内の汚染物質を前記環状凹部へ向かって径方向外側に導くように輪郭付けられる、請求項４２に記載の流れ感知デバイス。
【請求項４５】
入口および出口ポートと、上流および下流センサポートを含む本体であって、前記入口ポートは内部上流通路によって前記上流センサポートと流体連通状態に接続され、前記出口ポートは下流内部通路によって前記下流センサポートと流体連通状態に接続され、前記上流および下流センサポートは、流路を含む流れ制限要素によって流体連通状態に接続されている、本体と、
前記上流センサポート内に取り付けられた上流圧力センサと、
前記下流センサポート内に取り付けられた下流圧力センサと、
前記流路を取り巻く加熱装置であって、前記流路内の凝縮の形成を除去または防止するように動作可能な加熱装置と
を備える、流れ感知デバイス。
【請求項４６】
前記加熱装置は、加熱回路および熱トレース通路の１つを備える、請求項４５に記載の流れ感知デバイス。
【請求項４７】
前記加熱装置は、前記流れ制限要素を通って延びる、請求項４５に記載の流れ感知デバイス。
【請求項４８】
前記流れ制限要素は、前記本体におけるキャビティ内に取り付けられ、前記加熱装置は、前記流れ制限要素の外側表面と前記本体キャビティの内側表面との間に配置される、請求項４５に記載の流れ感知デバイス。
【請求項４９】
前記加熱装置は、前記流路と一直線上に前記本体の外側表面の周囲に延びる、請求項４５に記載の流れ感知デバイス。
【請求項５０】
流体ラインと、
前記流体ラインと流体連通状態に接続された流体監視モジュールであって、流体センサと、前記流体センサからの圧力表示データおよび温度表示データの少なくとも１つを含む流体データを受信するために前記流体センサと回路通信しているコントローラとを備える流体監視モジュールと、
前記コントローラと回路通信している無線送信器と、
前記コントローラと回路通信しているＲＦＩＤリーダと、
前記流体ライン内の分岐ポートと接続可能なサンプルシリンダであって、前記分岐ポートと接続されると、少なくとも識別コードを含むシリンダデータを前記ＲＦＩＤリーダへ通信するように構成されたＲＦＩＤタグを含むサンプルシリンダと
を備え、
前記無線送信器は、前記流体データおよび前記シリンダデータを遠隔デバイスへ無線通信するように構成される、流体監視およびグラブサンプリングシステム。
【請求項５１】
グラブサンプリング動作を監視する方法であって、
流体ラインと流体連通状態にある流体センサからの流体データを、前記流体センサに接続されたコントローラへ送信することであって、前記流体データは、前記流体センサによって生成された圧力表示信号および温度表示信号の少なくとも１つを含むことと、
前記流体ラインからのサンプルを集めるために、サンプルシリンダを前記流体ライン内の分岐ポートと接続することと、
少なくともシリンダ識別コードを含むシリンダデータを、前記サンプルシリンダから前記コントローラへ送信することと、
前記流体データおよび前記シリンダデータを前記コントローラから遠隔デバイスへ送信することと
を備える、方法。
【発明の詳細な説明】
【技術分野】
【０００１】
本出願は、各々の開示全体が参照によって本明細書に組み込まれる、２０１８年９月１８日に出願されたＬＡＭＩＮＡＲ  ＦＬＯＷ  ＥＬＥＭＥＮＴと題された米国仮特許出願第６２／７３２，８４８号、２０１８年１２月４日に出願されたＦＬＯＷ  ＳＥＮＳＩＮＧ  ＭＯＤＵＬＥと題された米国仮特許出願第６２／７７５，０６６号、２０１９年５月７日に出願されたＦＬＵＩＤ  ＭＯＮＩＴＯＲＩＮＧ  ＭＯＤＵＬＥ  ＡＲＲＡＮＧＥＭＥＮＴＳと題された米国仮特許出願第６２／８４４，３８３号、２０１９年５月７日に出願されたＦＬＵＩＤ  ＭＯＮＩＴＯＲＩＮＧ  ＭＯＤＵＬＥ  ＡＲＲＡＮＧＥＭＥＮＴＳと題された米国仮特許出願第６２／８４４，３９０号、２０１９年５月７日に出願されたＦＬＵＩＤ  ＭＯＮＩＴＯＲＩＮＧ  ＭＯＤＵＬＥ  ＡＲＲＡＮＧＥＭＥＮＴＳと題された米国仮特許出願第６２／８４４，３９９号、および２０１９年９月３日に出願されたＦＬＵＩＤ  ＭＯＮＩＴＯＲＩＮＧ  ＭＯＤＵＬＥ  ＡＲＲＡＮＧＥＭＥＮＴＳと題された米国仮特許出願第６２／８９５，１１５号に対する優先権およびこれらの全ての利益を主張するものである。
【背景技術】
【０００２】
層流要素（またはＬＦＥ）は一般に、たとえば質量流量計または他のそのような監視デバイスと共に使用するため、ガス流量を測定するために用いられる。従来の層流要素は、ガス流を層流状態に維持するように特に構成された層流要素の部分を通過するガスの速度に比例する差圧を生成することによって動作する。上流および下流圧力センサは、流速を計算するために用いられるこの圧力差を検出する。層流要素の制限流路の一般的な長さ対径要件（たとえば２５：１の比）により、大きなサイズ、複雑な機械加工、または複雑な組付け要件は、多くの場合、製造コストの増加、膨大なリードタイム、および／または不所望に大きいＬＦＥ部品をもたらす。
【発明の概要】
【課題を解決するための手段】
【０００３】
本開示の態様によると、流れ感知デバイスは、横方向に延びる入口および出口ポートと、軸方向に延びる上流および下流センサポートと、上流センサポート内に取り付けられた上流圧力センサと、下流センサポート内に取り付けられた下流圧力センサとを含む十字形本体を含む。入口ポートは、入口分岐ポートによって上流センサポートと流体連通状態に接続され、出口ポートは、出口分岐ポートによって下流センサポートと流体連通状態に接続される。上流および下流センサポートは、上流センサポートから下流センサポートへ略軸方向に延びる層流制限通路によって流体連通状態に接続される。
【０００４】
本開示の他の態様によると、流体監視モジュールは、エンクロージャ内に配置された流れ感知デバイスおよびコントローラを含む。流れ感知デバイスは、入口ポートと、出口ポートと、上流センサポートと、下流センサポートと、入口ポートと出口ポートとの間かつ上流センサポートと下流センサポートとの間に配置された流路とを含む本体を含む。第１の流体センサは、上流センサポートに組み付けられ、第２の流体センサは、下流センサポートに組み付けられる。コントローラは、第１および第２の流体センサの各々からの圧力表示信号および温度表示信号の少なくとも１つを受信するため、および受信信号に基づいて流体データを測定するために、第１および第２の流体センサと回路通信している。
【０００５】
本開示の他の態様によると、流れ感知デバイスは、第１および第２の本体部材と、流れ制限要素と、上流および下流圧力センサとを含む。第１の本体部材は、各々が内部上流通路によって接続された、入口ポート、上流センサポート、および第１の接続ポートを含む。第２の本体部材は、各々が内部下流通路によって接続された、出口ポート、下流センサポート、および第２の接続ポートを含む。流れ制限要素は、第１の接続ポートに連結された第１の端部接続、第２の接続ポートに連結された第２の端部接続、および第１および第２の端部接続の間に配置された流れ制限通路を含む。上流圧力センサは、上流センサポート内に取り付けられ、下流圧力センサは、下流センサポート内に取り付けられる。
【０００６】
本開示の他の態様によると、流体ライン内の流体条件を監視する方法が意図される。典型的な方法において、第１のセンサポート内に密封して取り付けられ、コントローラと電気接続された第１の圧力センサを含む流体監視モジュールが提供される。第１のセンサポートは、第１の圧力センサによる第１の圧力表示データ信号の生成のために流体ラインの第１の分岐コネクタに連結される。圧力表示データ信号はコントローラへ送信され、受信データ信号に基づく流体データが測定される。
【０００７】
本開示の他の態様によると、流れ感知デバイスは、本体と、上流圧力センサと、下流圧力センサとを含む。本体は、入口および出口ポートと、上流および下流センサポートとを含む。入口ポートは、内部上流通路によって上流センサポートと流体連通状態に接続され、出口ポートは、下流内部通路によって下流センサポートと流体連通状態に接続される。上流および下流センサポートは、本体におけるキャビティ内に配置された流れ制限要素によって流体連通状態に接続される。上流圧力センサは、上流センサポート内に取り付けられ、下流圧力センサは、下流センサポート内に取り付けられる。流れ制限要素は、流路を画定する中央部と、環状凹部を形成する外周ソリッド部とを含み、流体汚染物質は、流路を閉塞または更に制限することなく、環状凹部内に集まる。
【０００８】
本開示の他の態様によると、流れ感知デバイスは、本体と、上流圧力センサと、下流圧力センサとを含む。本体は、入口および出口ポートと、上流および下流センサポートとを含む。入口ポートは、内部上流通路によって上流センサポートと流体連通状態に接続され、出口ポートは、下流内部通路によって下流センサポートと流体連通状態に接続される。上流および下流センサポートは、流路を含む流れ制限要素によって流体連通状態に接続される。上流圧力センサは、上流センサポート内に取り付けられ、下流圧力センサは、下流センサポート内に取り付けられる。加熱装置は、流路を取り巻き、流路内の凝縮の形成を緩和または防止するように動作可能である。
【０００９】
本開示の他の態様によると、流体監視およびグラブサンプリングシステムは、流体ラインと、流体監視モジュールと、無線送信器と、ＲＦＩＤリーダと、サンプルシリンダとを含む。流体監視モジュールは、流体ラインと流体連通状態に接続され、流体センサと、流体センサ、無線送信器、およびＲＦＩＤリーダと回路通信しているコントローラとを含む。コントローラは、圧力表示データおよび温度表示データの少なくとも１つを含む、流体センサからの流体データを受信する。サンプルシリンダは、流体ライン内の分岐ポートと接続可能であり、分岐ポートと接続されると、少なくとも識別コードを含むシリンダデータをＲＦＩＤリーダへ通信するように構成されたＲＦＩＤタグを含む。無線送信器は、流体データおよびシリンダデータを遠隔デバイスへ無線通信するように構成される。
【００１０】
本開示の他の態様によると、グラブサンプリング動作を監視する方法が意図される。典型的な方法において、流体データは、流体ラインと流体連通状態にある流体センサから、流体センサに接続されたコントローラへ送信され、流体データは、流体センサによって生成された圧力表示信号および温度表示信号の少なくとも１つを含む。サンプルシリンダは、流体ラインからのサンプルを集めるために、流体ライン内の分岐ポートと接続される。シリンダデータは、サンプルシリンダからコントローラへ送信され、シリンダデータは、少なくともシリンダ識別コードを含む。流体データおよびシリンダデータは、コントローラから遠隔デバイスへ送信される。
【００１１】
更なる利点および利益は、添付図面と共に以下の説明および添付の特許請求の範囲を考察した後に、当業者に明らかになる。
【図面の簡単な説明】
【００１２】
【図１】本開示の態様に係る、典型的な流れ感知デバイスの断面図である。
【図１Ａ】図１の流れ感知デバイスの斜視図である。
【図１Ｂ】本開示の他の態様に係る、多重流れ感知デバイスシステムの側面図である。
【図２】本開示の他の態様に係る、典型的な流れ感知デバイスの断面図である。
【図３】本開示の他の態様に係る、典型的な流れ感知デバイスの断面図である。
【図４】本開示の他の態様に係る、典型的な流れ感知デバイスの断面図である。
【図５】本開示の他の態様に係る、典型的な流れ感知デバイスの断面図である。
【図６】本開示の他の態様に係る、典型的な流れ感知デバイスの断面図である。
【図７】本開示の他の態様に係る、典型的な流れ感知デバイスの断面図である。
【図８】本開示の他の態様に係る、流れ感知デバイスの概略図である。
【図９】本開示の他の態様に係る、他の流れ感知デバイスの概略図である。
【図１０Ａ】本開示の他の態様に係る、典型的な無線流体監視モジュールの正面斜視図である。
【図１０Ｂ】図１０Ａの無線流体監視モジュールの背面斜視図である。
【図１０Ｃ】図１０Ａの無線流体監視モジュールの分解斜視図である。
【図１１Ａ】図１０Ａの無線流体監視モジュールの側断面図である。
【図１１Ｂ】図１０Ａの無線流体監視モジュールの上断面図である。
【図１２】本願の他の態様に係る、他の典型的な無線流体監視モジュールの側断面図である。
【図１３Ａ】本開示の他の態様に係る、他の典型的な無線流体監視モジュールの斜視図である。
【図１３Ｂ】本開示の他の態様に係る、他の典型的な無線流体監視モジュールの斜視図である。
【図１３Ｃ】本開示の他の態様に係る、他の典型的な無線流体監視モジュールの斜視図である。
【図１４】本開示の他の態様に係る、流体監視モジュールの概略図である。
【図１４Ａ−１４Ｉ】本開示の他の態様に係る、流体監視モジュールのための典型的な流れ制限要素の断面図である。
【図１５】本開示の他の態様に係る、他の流体監視モジュールの概略図である。
【図１６Ａ】本開示の他の態様に係る、外部流れ制限要素を有する典型的な無線流体監視モジュールの側面図である。
【図１６Ｂ】本開示の他の態様に係る、外部流れ制限要素を有する他の典型的な無線流体監視モジュールの側面図である。
【図１６Ｃ】本開示の他の態様に係る、外部流れ制限要素を有する他の典型的な無線流体監視モジュールの側面図である。
【図１６Ｄ】本開示の他の態様に係る、外部流れ制限要素を有する他の典型的な無線流体監視モジュールの側面図である。
【図１６Ｅ】本開示の他の態様に係る、外部流れ制限要素を有する他の典型的な無線流体監視モジュールの側面図である。
【図１７】外部流れ制限要素を有する無線流体監視モジュールのための典型的なセンサポート取付け構造の側断面図である。
【図１８Ａ】本開示の他の態様に係る、二重流体監視構造を有する典型的な無線流体監視モジュールの側面図である。
【図１８Ｂ】本開示の他の態様に係る、二重流体監視構造を有する他の典型的な無線流体監視モジュールの側面図である。
【図１８Ｃ】本開示の他の態様に係る、二重流体監視構造を有する他の典型的な無線流体監視モジュールの側面図である。
【図１８Ｄ】本開示の他の態様に係る、典型的なブランクカップリング接続の断面斜視図である。
【図１８Ｅ】本開示の他の態様に係る、ブランクディスクインサートを有する典型的なカップリング接続の断面斜視図である。
【図１９】本開示の他の態様に係る、ポータブル流体監視モジュールを有する流体システムの概略図である。
【図２０】本開示の他の態様に係る、他のポータブル流体監視モジュールを有する他の流体システムの概略図である。
【図２１】本開示の他の態様に係る、他のポータブル流体監視モジュールを有する他の流体システムの概略図である。
【図２２】本開示の他の態様に係る、他のポータブル流体監視モジュールを有する他の流体システムの概略図である。
【図２３】本開示の他の態様に係る、典型的な流体監視およびグラブサンプリングシステムの概略図である。
【発明を実施するための形態】
【００１３】
本発明の様々な発明的態様、概念、および特徴は、典型的な実施形態において組み合わせて具体化されるように本明細書で説明および例示され得るが、これらの様々な態様、概念、および特徴は、個々に、またはそれらの様々な組み合わせおよび部分的組み合わせで、多数の代替実施形態において用いられ得る。本明細書において明確に除外されない限り、全てのそのような組み合わせおよび部分的組み合わせは、本発明の範囲内であることが意図される。また更に、たとえば代替の材料、構造、構成、方法、回路、デバイスおよび部品、ソフトウェア、ハードウェア、制御論理、形状、適合、および機能に関する代案などといった、本発明の様々な態様、概念、および特徴に関する様々な代替実施形態が本明細書で説明されてよく、そのような説明は、現在知られているか今後開発されるかにかかわらず、利用可能な代替実施形態の完全または網羅的なリストであることは意図されない。当業者は、発明的態様、概念、または特徴の１または複数を追加の実施形態に容易に取り入れることができ、そのような実施形態が本明細書において明確に開示されなかろうと、本発明の範囲内で使用する。加えて、本発明のいくつかの特徴、概念、または態様が、好適な構造または方法として本明細書で説明され得るが、そのような説明は、そのような特徴が必要または不可欠であると明確に記載されない限り必要または不可欠であることを提案することは意図されない。なお、典型的または代表的な値および範囲が、本開示の理解を助けるために含まれ得るが、そのような値および範囲は限定的な意味で解釈されてはならず、明確にそのように記載された場合のみ臨界値または範囲であることが意図される。「おおよそ」または「約」指定値として識別されたパラメータは、特に記載されない限り、指定値および指定値から１０％範囲内の値の両方を含むことが意図される。なお、理解すべき点として、本開示に添付する図面は、一定比率で拡大縮小され得るが必ずしもそうではないため、図内に現れた様々な比および割合を教示するものとして理解され得る。また、様々な態様、特徴、および概念は、本発明の発明的または一部を成す部分として本明細書で明確に識別され得るが、そのような識別は、排他的なものとして意図されず、そのように、または特定の発明の一部として明確に識別されることなく本明細書で詳しく説明される発明的態様、概念、および特徴が存在してよく、それらの発明は代わりに添付の特許請求の範囲に記載される。典型的な方法またはプロセスの説明は、全てのステップを全ての事例に必要なものとして含むことに限定されず、または、ステップが提示される順序は、明確にそのように記載されない限り、必要または不可欠なものとして解釈されない。
【００１４】
発明を実施するための形態は、典型的な実施形態を説明するだけにすぎず、特許請求の範囲をいかようにも限定することは意図されない。実際、特許請求の範囲に記載の本発明は、典型的な実施形態よりも広範であり、典型的な実施形態によって限定されるものではなく、特許請求の範囲において用いられる用語は、それらの通常の意味全般を有する。たとえば、本開示における特定の典型的な実施形態が、差圧を測定し差圧を流速に相関付けるための圧力センサを有する流れ感知デバイスを説明する一方で、他の実施形態において、本明細書で説明される特徴の１または複数は、たとえば導管継手および弁を含む他の流体システム部品に適用され得る。
【００１５】
本開示の態様によると、図１の断面図に示すように、流れ感知デバイス１００には、横方向に延びる入口および出口ポート１１１、１１２および軸方向に延びる上流および下流センサポート１１３、１１４を含む十字形本体１１０が提供され得る。図示するように、入力ポート１１１は、必ずしもそうではないが（図示のようにＸ軸に沿って）出口ポート１１２と略同軸上にあってよく、上流センサポート１１３は、必ずしもそうではないが（図示のようにＹ軸に沿って）下流センサポート１１４と略同軸上にあってよい。入口および出口ポート１１１、１１２は、たとえば１または複数の管継手、面シール継手、ねじ管端、または溶接端を含む任意の適当な流体システムコネクタを含んでよい。入力ポート１１１は、入力分岐ポート１１６によって上流センサポート１１３と流体連通状態に接続され、出口ポート１１２は、出口分岐ポート１１７によって下流センサポート１１４と流体連通状態に接続される。上流および下流センサポート１１３、１１４は、上流センサポート１１３から下流センサポート１１４へ略軸方向に延びる流れ制限通路１１５によって接続される。流れ制限通路１１５は、（たとえば層流要素、すなわちＬＦＥとして）デバイス１００を通る層流を維持するように特に構成され得るが、他の実施形態において、流れ制限通路は、一貫した所望の流速または流速範囲も提供しながら、乱流、または層流および乱流の組み合わせを可能にし得る。図示するように、分岐ポート１１６、１１７以外は、本体１１０は、（必ずしもそうではないが）ＸおよびＹ軸のいずれかまたは両方に関して略対称であってよい。
【００１６】
上流圧力センサ１２０は、上流センサポート１１３に取り付けられ、上流圧力に対応する信号を生成するように構成され、下流圧力センサ１３０は、下流センサポートに取り付けられ、下流圧力に対応する信号を生成するように構成される。圧力センサ１２０、１３０は、１５０において概略的に示す、たとえば有線または無線通信によって圧力センサと回路通信している電子コントローラへ信号を送信してよく、電子コントローラは、流れ制限通路を跨いだ圧力差および対応する流れ感知デバイス１００を通る流速を決定するために、受信信号に対応する上流および下流圧力を評価するように構成される。
【００１７】
上流および下流圧力センサ１２０、１３０は、たとえば保持リング１２１、１３１を用いて対応するセンサポート１１３、１１４内で固定的に保持され、たとえばＯリングまたはガスケットシール１２２、１３２を用いて対応するセンサポート１１３、１１４内で封止され得る任意の適当な種類の圧力センサ（たとえばピエゾ抵抗歪みゲージ、容量式圧力センサ、電磁圧力センサ、ピエゾ圧電センサ）を含んでよい。典型的な実施形態において、センサは、圧力および温度の両方を検出または測定し、圧力および温度表示信号をコントローラへ送信するように構成され得る。コントローラは、たとえば、圧力、温度、および／または流速を決定し、および／またはこれらのパラメータの任意の１または複数の測定出力を提供するために、圧力および温度表示信号を処理するように構成され得る。圧力および温度を測定するように構成された典型的なセンサは、Ｋｅｌｌｅｒ社によって製造されるＬＤシリーズピエゾ抵抗ＯＥＭ圧力送信器である。
【００１８】
流れ感知デバイス１００の十字形本体１１０の小型構成により、流れ感知デバイスは、より小さなエンクロージャまたはより小さな機器に組み込まれ、または、よりシームレスに既存のシステムに組み込まれることが可能であり得る。複数の流れ感知デバイスを含むシステムは、流れ感知デバイスの各々と接続された個別のコントローラを含んでよいが、他の実施形態において、小型流れ感知デバイスは、単一のコントローラと電気接続するために配置および構成され得る。図１Ｂは、コントローラ１５０に電気接続された上流および下流圧力センサ１２０、１３０、および平行な流体ライン１１、１２に接続された入口および出口ポート１１１、１１２を有する、縦一列に配置された複数の流れ感知デバイス１００を含む典型的なシステム１０を示す。
【００１９】
多数の様々な適当な層流制限通路が用いられ得る。いくつかの実施形態において、１または複数の流れ制限通路が、たとえば穿孔、機械加工、または付加製造（たとえば３Ｄ印刷）によって本体に一体形成され得る。他の実施形態において、１または複数の流れ制限通路は、上流および下流センサポートの間で本体のキャビティ内に取り付けられた１または複数のインサート（たとえばプラグ、プレートなど）から形成された流れ制限要素によって画定され得る。この種の流路インサート構造は、流路の形成を容易にし、および／または、たとえば様々な範囲の流速および圧力差を許容することによって、流れ感知デバイスの適応性を可能にし得る。
【００２０】
一例において、図２に示すように、流れ感知デバイス１００ａの本体１１０ａは、上流センサポート１１３ａと下流センサポート１１４ａとの間に延びる細く軸方向に延びる（たとえば毛細）通路１１５ａを含む。他の典型的な実施形態において、図３に示すように、流れ感知デバイス１００ｂの本体１１０ｂは、たとえば、本体１１０ｂの軸方向長さを制限しながら増加した層流を提供するために、上流センサポート１１３ｂと下流センサポート１１４ｂとの間に延びる、複数の細く軸方向に延びる通路１１５ｂを含む。
【００２１】
他の典型的な実施形態において、図４に概略的に示すように、流れ感知デバイス１００ｃの本体１１０ｃには、上流および下流センサポート１１３ｃ、１１４ｃの間に、本体の限られた軸方向寸法にわたる長い通路長さを提供するように構成された複数の渦巻または蛇腹を有する１または複数の細い層流制限通路１１５ｃが提供され得る。これらの渦巻または蛇腹状通路は、たとえば、上流センサポート１１３ｃと下流センサポート１１４ｃとの間の１または複数の蛇腹状層流制限通路１１５ｃの製造を容易にするために付加製造によって形成され得る。他の典型的な実施形態において、図５に示すように、流れ感知デバイス１００ｄの本体１１０ｄは、通路（複数も可）１１５ｄを画定するように整列した穴および／またはスロットを有するプレートスタック１４０ｄを保持する中央キャビティ１１９ｄを含んでよい。他の実施形態において、（たとえば付加製造によって形成された）蛇腹状または選択的に輪郭付けられた通路が、たとえば混合、回旋、熱／冷トレーシング、または他のそのような機能などの他の流体流動機能を提供または実行するために用いられ得る。
【００２２】
他の典型的な実施形態において、図６に示すように、流れ感知デバイス１００ｅの本体１１０ｅは、流れを所望の流動条件（たとえば層流および／または所望の流動範囲）に制限する流路１１５ｅを画定するために、本体１１０ｅのキャビティ１１９ｅ内に取り付けられた流れ制限要素１４０ｅ（たとえば焼結要素）を含んでよい。Ｏリングまたは他のそのようなガスケットシール１４９ｅは、流れ制限要素１４０ｅの周囲に（たとえば、本体キャビティ１１９ｅにおける内周溝に、および／または流れ制限要素１４０ｅにおける外周溝に）提供され、流れ制限要素の周囲を通る漏洩／流れを封止するために流れ制限要素の周囲に提供され得る。他の典型的な実施形態において、図７に示すように、流れ感知デバイス１００ｆの本体１１０ｆは、所望の流動条件を提供するように選択された孔径および密度を有する、上流および下流センサポート１１３ｆ、１１４ｆの間の本体の軸方向に延びる多孔質部分１４０ｆの製造を容易にするために、付加製造によって形成され得る。
【００２３】
流れ制限焼結要素または他のそのような多孔質または狭窄通路制限部分は、システム流体内の汚染物質によって遮断または閉塞する傾向があり、デバイスによって提供されたシステム流速および流れ読取り値に影響を及ぼし得る。本開示の他の態様によると、流れ感知デバイス本体には、本体キャビティの凹み部分に汚染物質を逸らし、または集めるように形作られ、または構成されることによって、多孔質流れ制限要素の閉塞または遮断を最小限にする流れ制限要素が提供され得る。
【００２４】
図８は、入口および出口ポート１１１１、１１１２および上流および下流センサポート１１１３、１１１４を有する本体部材１１１０を含む典型的な流れ感知デバイス１１００を概略的に示す。入口および出口ポート１１１１、１１１２は、たとえば１または複数の管継手、面シール継手、ねじ管端、または溶接端を含む任意の適当な流体システムコネクタを含んでよい。入口ポート１１１１は、内部上流通路１１１６によって上流センサポート１１１３と流体連通状態に接続され、出口ポート１１１２は、内部下流通路１１１７によって下流センサポート１１１４と流体連通状態に接続される。上流および下流センサポート１１１３、１１１４は、センサ１１２０、１１３０を密封して保持し、流れ制限通路１１１５を画定するために本体１１１０のキャビティ１１１９内に配置された多孔質流れ制限要素１１４０によって接続される。流れ制限通路１１１５は、デバイス１１００を通る層流を維持するように特に構成され得るが、他の実施形態において、流れ制限通路は、一貫した所望の流速または流速範囲も提供しながら、乱流、または層流および乱流の組み合わせを可能にし得る。
【００２５】
図示するように、典型的な流れ制限要素１１４０は、円錐形中央多孔質部分１１４１と、環状凹部を形成する外周ソリッドまたは非多孔質部分１１４２とを含み、流体汚染物質は、流路を閉塞または更に制限することなく、環状凹部内へ集まり得る。内部上流通路１１１６は、流体流を本体キャビティ１１１９および環状凹部１１４２の表面へ向けて導くような形状を成してよい。あるいは、図示するように、流れ制限要素の上流端または先端１１４３もまたソリッドまたは非多孔質であってよく、本体１１１０内の内部上流通路１１１６は、流体流をソリッドな制限要素先端へ向けて導くような形状を成してよく、輪郭付けられた先端は、流れ制限要素の多孔質部分に汚染物質が埋め込まれる状態をもたらすあらゆる傾向を最小限にしながら汚染物質を径方向外向きに導く。たとえば半球状またはピラミッド形の要素を含む他の多孔質要素形状が用いられ得る。流れ制限要素１１４０は、図６の実施形態と同様、本体キャビティ１１１９内に取り付けるためのインサートとして提供され得る。あるいは、流れ制限要素１１４０は、図７の実施形態と同様、本体１１１０と一体形成され得る。いずれの場合も、流れ制限要素は、要素の一部を多孔質および非多孔質材料で選択的に形成するために適し得る付加製造（たとえば３Ｄ印刷）を用いて形成され得る。
【００２６】
多孔質制限部分または狭窄制限通路は、たとえば流体システムがより低い温度または急な温度変化に晒された場合、ガス状流体システムにおける凝縮によって部分的に遮断または閉塞し得る。本開示の他の態様によると、流れ感知デバイス本体には、たとえば、凝縮を選択的に蒸発または沸騰させ、または凝縮を防ぐ温度に流れ制限要素を維持することによって、この種の制限要素の閉塞を防ぐために、流れ制限加熱装置が提供され得る。
【００２７】
図９は、入口および出口ポート１２１１、１２１２および上流および下流センサポート１２１３、１２１４を有する本体部材１２１０を含む典型的な流れ感知デバイス１２００を概略的に示す。入口および出口ポート１２１１、１２１２は、たとえば１または複数の管継手、面シール継手、ねじ管端、または溶接端を含む任意の適当な流体システムコネクタを含んでよい。入口ポート１２１１は、内部上流通路１２１６によって上流センサポート１２１３と流体連通状態に接続され、出口ポート１２１２は、内部下流通路１２１７によって下流センサポート１２１４と流体連通状態に接続される。上流および下流センサポート１２１３、１２１４は、センサ１２２０、１２３０を密封して保持し、本体１２１０のキャビティ１２１９内に配置され流れ制限通路１２１５（たとえば、１または複数の形成通路または多孔質流れ制限材料）を画定する流れ制限要素１２４０によって接続される。流れ制限通路１２１５は、デバイス１２００を通る層流を維持するように特に構成され得るが、他の実施形態において、流れ制限通路は、一貫した所望の流速および流速範囲も提供しながら、乱流、または層流および乱流の組み合わせを可能にし得る。
【００２８】
図示するように、流れ制限デバイス１２００は、流れ制限要素１２４０内の流路１２１５を取り巻く流れ制限加熱装置を含む。加熱装置１２７０は、流れ制限要素１２４０内に、流れ制限要素の周囲に（たとえば流れ制限要素の外側表面と本体キャビティ１２１９の内面との間に）、または流路と一直線を成すように本体部材１２１０の周囲に形成され得る。たとえば、流れ制限要素を加熱するための電流を受け取るように構成された１または複数の加熱回路、または流れ制限要素内またはその周囲に加熱流体（たとえば蒸気）を通すための１または複数の熱トレース通路を含む、多種多様な流れ制限加熱装置が用いられ得る。流れ制限要素１２４０は、図６の実施形態と同様、本体キャビティ１２１９内に取り付けるためのインサートとして提供され得る。あるいは、流れ制限要素１２４０は、図７の実施形態と同様、本体１２１０と一体形成され得る。いずれの場合も、流れ制限要素は、流れ制限要素内またはその周囲に熱トレースまたは回路受容通路を形成するために適し得る付加製造（たとえば３Ｄ印刷）を用いて形成され得る。
【００２９】
コントローラ（複数も可）は、流れ感知要素（複数も可）から独立し、物理的かつ電気的に繋がれ得るが、他の実施形態において、流れ感知要素は、たとえば流体システム内での取付けを容易にするために、（流れ感知デバイスを流体システムと接続するための外部コネクタを有する）流れ感知デバイスおよびコントローラを含むエンクロージャと共に、自己内蔵型モジュールに提供され得る。コントローラは、流体流条件（たとえば圧力、温度、流速）に関する情報を伝えるために外部デバイス（たとえばサーバ、ルータ、コンピュータ、タブレット、スマートフォン）と（たとえば有線または無線通信によって）通信するように構成され得る。追加または代替として、このモジュールには、モジュールにおいて（たとえばＬＥＤアレイまたはＬＣＤ表示スクリーンを用いて）流体流条件に関する情報を提供するためのユーザインタフェースが提供され得る。
【００３０】
図１０Ａ〜１１Ｂは、流れ感知デバイス５０５およびコントローラ５５０を封入する（たとえばボルトまたは他の締め具を用いて一体に固定された）ハウジング５０２およびカバー５０３から形成されたエンクロージャ５０１を含む典型的な流体監視モジュール５００の様々な図を示す。流れ感知デバイス５０５は、たとえば、本明細書で説明される流れ感知デバイス１００ａ〜ｆのいずれかと同様であってよく、エンクロージャ５０１における開口部を通って延びるエンドコネクタ５０６が提供され得る。ガスケットまたは他のそのようなシール５０４（図１１Ａ）は、たとえば水分または他の汚染物質がエンクロージャへ入ることを防ぐために、開口部においてエンドコネクタ５０６を取り巻いてよい。エンドコネクタは様々な位置および向きで提供され得るが、例示した実施形態において、エンドコネクタ５０６は、たとえば既存の流体システムへの取付けを容易にするために、エンクロージャの共有壁から延びる。図１０Ｃおよび図１１Ａに示すように、流れ感知デバイス５０５には、エンドコネクタ５０６を所望の位置および向きに配置するためのエルボ継手または他のそのようなコネクタおよびアダプタが提供され得る。１つのそのような例において、モジュール５００のエンドコネクタ５０６は、既存のシステムの従来の流速測定デバイスがモジュール５００と容易に置き換えられ得るように、従来の流速測定デバイス（たとえばロータメータ式流速測定デバイス）と対応するように配置され方向付けられ得る。他の実施形態（不図示）において、エンドコネクタは、たとえば流れ感知デバイス、または複数の平行かつ密接した間隔の流体ラインを有する多重流動感知デバイスのインライン取付けを容易にするために、流体監視モジュールから軸方向に延びてよい。また他の実施形態において、エンドコネクタは、互いにオフセットしてよく、ハウジングの対向側面から反対方向に、またはハウジングの隣接側面から垂直に伸びてよい。
【００３１】
モジュールには、外部電源（たとえばコンセント）と接続するための外部配線が提供され得るが、モジュール５００は、追加または代替として、図１１Ａに示すように、コントローラハードウェア（たとえばプロセッサ、送信器、ＬＥＤ）および流れ感知デバイス５０５のセンサ５２０、５３０に給電するためにコントローラ５５０と電気接続された１または複数のバッテリ５６０を含んでよい。図示するように、バッテリ５６０は、たとえばバッテリを保護し確実に配置するためにスリーブ５６１内に配置され得る。いくつかの実施形態において、モジュールには、たとえばモジュールの外部配線を外部電源に電気接続することによって再充電され得る再充電可能バッテリが提供され得る。追加または代替として、封入されたバッテリは、（たとえば建物が停電した場合の）バックアップ電源としての機能を果たしてよく、この場合、モジュールは、主として外部電源により動作する。図１０Ｃに示すように、スペーサブラケット５０９は、たとえばモジュールの内部部品を所望の位置に固定するために、エンクロージャ５０１内に提供され得る。
【００３２】
典型的な流れ感知デバイスアセンブリ５０５は、本体部材５１０の上流および下流センサポート５１３、５１４内に取り付けられた上流および下流センサ５２０、５３０を含む。センサ５２０、５３０は、圧力および温度表示信号をコントローラへ送信するために（たとえばモジュールエンクロージャ内の配線によって）コントローラ５５０に接続される。コントローラ５５０は、たとえば流れ感知デバイスを通過する流体の圧力、温度、および／または流速を決定するため、および／またはこれらのパラメータの任意の１または複数の測定出力を提供するために、圧力および温度表示信号を処理するように構成される。
【００３３】
図１０Ａ〜１１Ｂの実施形態において、本体５１０のセンサポート５１３、５１４は、ハウジング５０２の側面に対向するように方向付けられる。あるいは、図１２に示すように、本体５１０’のセンサポート５１３’、５１４’は、ハウジングの後壁およびカバー５０３と対向するように方向付けられ、エンクロージャの幅を低減させてよい。追加または代替として、バッテリサイズは、エンクロージャの高さを低減するために（たとえば図１２に示すように、２つのＣ電池５６０を１つのＤ電池５６０’と置き換えて）低減され得る。
【００３４】
モジュールには、外部デバイス（たとえばコンピュータ）との有線接続のための外部配線が提供され得る。追加または代替として、図示するように、モジュール５００には、たとえば遠隔デバイスとの直接または間接無線通信を用いて遠隔デバイス（たとえばサーバ、ルータ、コンピュータ、タブレット、スマートフォン）へ流体データを無線送信するための（たとえばコントローラ５５０の回路板に設けられた）無線送信器が提供され得る。送信機は、たとえばＷｉＦｉ、Ｂｌｕｅｔｏｏｔｈ、ＺｉｇＢｅｅ、ＲＦＩＤ、ＮＦＣ、および無線ＵＳＢ通信など、任意の数の適当な無線通信プロトコルおよび性能を用いて通信するように構成され得る。図示するように、モジュール５００は、遠隔デバイスとの向上した無線通信のために、コントローラ送信器と電気接続された外部アンテナ５５５を含んでよい。典型的なシステムにおいて、ＷｉＦｉゲートウェイルータは、たとえば（デスクトップソフトウェアの必要性を排除し得る）ブラウザインタフェースを確立するため、フィールドデバイスのコミッションを容易にするため、データシステム／クラウドインタフェースを確立するため、および簡易的なトラブルシューティングおよび診断を提供するために、１または複数のモジュールとの無線通信のために提供され得る。
【００３５】
モジュールのコミッションおよび制御（たとえば電源オン／オフ、同期化）を容易にするために、モジュールには、たとえば１または複数のノブ、スイッチ、またはボタンなどのユーザインタフェースが提供され得る。例示した実施形態において、モジュール５００は、たとえばコントローラをオンにし、コントローラをオフにし、またはコントローラをコミッション／同期するために作動され得る、カバー５０３の開口部に配置され、コントローラ５５０上のボタンスイッチ５５７の作動のために設けられた外付けユーザ押下可能ボタン５０７を含む。ボタン５０７は、たとえばコントローラステータス（たとえば電源オン／オフ、接続性、認識したユーザ操作）のユーザ表示を提供するために照明され得る、コントローラ５５０上の１または複数のＬＥＤ５５８による照明を提供するために、透明または半透明材料内に提供され得る。ＬＥＤ５５８は、たとえば複数の区別可能なステータス条件を識別するために、（各々が異なる色の照明を有する複数のＬＥＤまたは１または複数の多色ＬＥＤを提供することによる）多色照明および／またはパルス照明を提供してよい。
【００３６】
外部デバイスとの有線または無線通信に加えて、またはその代わりに、モジュールには、流体流データをモジュール上に表示するように構成されたユーザインタフェースが提供され得る。図１３Ａは、１または複数の流体条件（たとえば流速、温度、圧力）を表示するために、エンクロージャの外側表面に（たとえばカバー５０３ａ上に）配置され、モジュールコントローラと回路通信状態に接続されたユーザインタフェース表示スクリーン５５９ａ（たとえばＬＣＤ、ＯＬＥＤ）を含む典型的なモジュール５００ａを示す。あるいは、より単純な出力表示を提供するために、ＬＥＤアレイ５５９ｂ、５５９ｃは、図１３Ｂに示すようなデジタル表示（たとえば１または複数の数値）、または図１３Ｃに示すようなマルチバー比例読取り値表示（たとえば流速、圧力、および／または温度の比例レベルを示す３つ以上のＬＥＤ）を提供するために用いられ得る。本開示の典型的な実施形態において、デジタルまたはマルチバーＬＥＤ表示器は、同じセットのＬＥＤを用いて複数の種類の流体データを表示するために多色ＬＥＤを用いてよい。たとえば、図１３ＢのデジタルＬＥＤ表示器５５９ｂは、測定された流速を識別するための第１の色（たとえば白色）、測定された圧力を識別するための第２の色（たとえば赤色）、および測定された温度を識別するための第３の色（たとえば緑色）で、対応するＬＥＤの照明を提供してよい。同様に、図１３ＣのデジタルＬＥＤ表示器５５９ｃは、比例流速レベルを識別するための第１の色（たとえば白色）、比例圧力レベルを識別するための第２の色（たとえば赤色）、および比例温度レベルを識別するための第３の色（たとえば緑色）で、対応するＬＥＤの照明を提供してよい。ユーザは、ユーザインタフェース（たとえばボタンまたはノブ）を作動することによって流体データ間で選択的に切り換えてよく、あるいは表示器は、様々な流体流データ間で自動的かつ周期的に（たとえば３〜１０秒ごとに）切り換わるように構成され得る。
【００３７】
１または複数の典型的な実施形態において、たとえば本明細書で説明するモジュールのいずれかなどの流体監視モジュールは、複数の所望の特性および条件を提供するように構成され得る。たとえば、流体監視モジュールは、たとえば約０．０５〜２０ＳＬＰＭのガス流速（分析器）、または約０．０５〜２０ＬＰＭの液体流速（バイパス）を含む、一般的な所望のサンプル流およびバイパス流範囲を提供するように構成され得る。典型的な流体監視モジュールは、フルスケールの約１０％未満の流れ測定精度（たとえば約＋／−５％の精度）を提供するように構成されてよく、優れた再現性および安定性を提供するように構成され得る。典型的な流体監視モジュールは、たとえば、約−２０Ｃ〜８０Ｃ、または最大で約８５Ｃの周囲温度での使用に対応し得る。典型的な流体監視モジュールは、たとえば、約５０ｐｓｉｇ〜１５０ｐｓｉｇの動作圧力に対応してよく、１９００ｐｓｉｇプルーフまたは３５００ｐｓｉｇバーストに対応し得る。典型的な構成材料は、たとえば、３１６ステンレス鋼、ハステロイ、ＦＫＭ、およびＦＦＫＭを含んでよい。典型的な流体監視モジュールは、たとえば送信器に関して１クラス１類、ゲートウェイに関して１クラス２類、ＡＴＥＸ  Ｚｏｎｅ１、および／またはＩＥＣＥｘ  Ｚｏｎｅ１を含む適当な安全定格を含んでよい。典型的な流体監視モジュールは、２．４ＧＨｚのメッシュ無線通信のために構成され得る。典型的な流体監視モジュールは、少なくとも５年の寿命を有する使い捨てリチウムバッテリを含んでよい。典型的な流体監視モジュールは、０．２ＳＬＰＭガス流に関して最大Ｔ９０＝５秒のラグタイムに対応し得る。
【００３８】
１または複数の典型的な実施形態において、たとえば本明細書で説明するモジュールのいずれかなどの流体監視モジュールは、たとえばプロセス分析システム内の任意の１または複数の位置を含む様々な用途で用いられ得る。その例は、フィールドステーション、高速ループシステム、グラブサンプリング位置、較正および切換え位置、サンプル調整位置、ガスおよび／またはユーティリティ分析器、およびサンプル廃棄位置を含む。
【００３９】
本開示の他の態様によると、流れ感知デバイスは、たとえば損傷または汚染した流れ制限要素を交換するため、流れ制限要素の検査を容易にするため、または流れ制限要素を、異なる流れ条件（たとえば異なる流速）を提供する第２の流れ制限要素と交換するために、システムから流れ感知デバイスを取り外すことなく流れ制限要素の取外しを容易にするように構成され得る。１つのそのような実施形態において、流れ感知要素には、入口／出口ポートおよび上流／下流センサポートからの流れ感知要素の切断および取外しを容易にする第１および第２の端部接続が提供され得る。一例として、流れ感知要素の第１および第２の端部接続は、流れ感知デバイスのポート端部を再配置することなく流れ感知要素の取外しおよび再取付け／交換を容易にするゼロクリアランス継手（たとえばＳｗａｇｅｌｏｋ社によって製造されるガスケット付きＶＣＯ継手）を含んでよい。
【００４０】
図１４は、流れ制限要素６４０の取外しを容易にするように構成された流れ感知デバイス６０５を含む典型的な流体監視モジュール６００を示す。典型的な流れ感知デバイス６０５は、横方向外向きに延びる入口および出口ポート６１１、６１２を画定する第１のランポートと、横方向内向きに延びる上流および下流センサポート６１３、６１４を画定する第２のランポートと、流れ制限要素６４０の第１および第２のエンドコネクタ６４８、６４９と接続するための軸方向に延びる第１および第２の制限器接続６１８、６１９を画定する分岐または接続ポートとを含む第１および第２のＴ字形本体部材６１０−１、６１０−２を含む。（図１〜１３の実施形態のセンサ１２０、１３０、５２０、５３０と同様であってよい）上流および下流センサ６２０、６３０は、上流および下流センサポート６１３、６１４内に密封して取り付けられる。
【００４１】
第１の本体部材６１０−１の入口ポート６１１、上流センサポート６１３、および第１の制限器接続６１８は、第１の本体部材６１０−１の内部Ｔ時形上流通路６１６によって流体連通状態に接続され、出口ポート６１２、下流センサポート６１４、および第２の端部接続６１９は、第２の本体部材６１０−２の内部Ｔ字形下流通路６１７によって流体連通状態に接続される。ポートは、たとえば１または複数の管継手、面シール継手、ねじ管端、または溶接端を含む、任意の適当な流体システムコネクタを含んでよい。
【００４２】
上流および下流通路６１６、６１７は、流れ制限要素６４０内の流れ制限通路６１５によって接続される。上述したように、流れ制限通路６１５は、たとえば１または複数の直線または蛇腹状通路、または１または複数の焼結材料または他のそのような流れ制限材料を含む様々な形式の１または複数をとってよい。通路（複数も可）は、機械加工または付加製造を含む様々なプロセスの１または複数を用いて形成され得る。流れ制限通路は、第１および第２の端部接続６４８、６４９が（たとえば溶接または一体形成によって）取り付けられる連結体６４２内に保持される１または複数のインサート６４１（たとえばプラグ、プレートなど）に形成され得る。１つの実施形態において、流れ制限インサート（複数も可）は、異なる流速、流路、材料、または他のそのような特性を提供する代替の流れ制限インサートと交換するために連結体から取外し可能であってよい。他の実施形態において、流れ制限部品は、流れ制限要素全体が交換されるように、連結体と一体またはモノリシックに形成され得る。他の実施形態において、流れ制限要素６４０は、たとえば入口および出口ポート６１１、６１２のオフセットを調整するために、異なる軸方向長さを有する流れ制限要素と交換され得る。また他の実施形態において、入口および出口ポートのオフセットの変動は、たとえばホース接続などの可撓性端部接続を有する入口および出口ポートを提供することによって対応され得る。
【００４３】
典型的な流れ制限要素６４０の第１および第２の端部接続６４８、６４９は、第１および第２の本体部材６１０−１、６１０−２の第１および第２の接続６１８、６１９の相手側ゼロクリアランスコネクタと接続するためのゼロクリアランスコネクタを含む。典型的なゼロクリアランス継手は、Ｓｗａｇｅｌｏｋ社によって製造されるＶＣＯ継手である。１つの実施形態において、連結体６４２には、雄ねじ体コネクタが提供され、本体部材６１０−１、６１０−２には、溶接グランドおよび雄ねじ体コネクタと連結するための捕獲雌ねじナットが提供される。他の実施形態において、本体部材６１０−１、６１０−２には、雄ねじ体コネクタが提供され、連結体６４２には、溶接グランドおよび捕獲ナットと連結するための捕獲雌ねじナットが提供される。また他の実施形態において、連結体６４２には、第１および第２の本体部材の１つにおける捕獲雌型ナットと接続するための雄ねじ体コネクタ、および第１および第２の本体部材の他方における雄ねじ体コネクタと接続するための捕獲雌ねじナットが提供される。この構造は、流れ制限要素が正しい方向配置に取り付けられるという保証を提供し得る。
【００４４】
流れ制限要素は、連結体からの流れ制限インサートの取外しおよび／または交換を容易にするために取外し可能な１または複数のコネクタを含む多ピースサブアセンブリとして提供され得る。図１４Ａは、連結体６４２ａを形成するために雌ねじコネクタ６４４ａと接合された雄ねじグランド６４３ａを含む２ピース本体を有する典型的な流れ制限要素６４０ａを示す。流れ制限またはオリフィス６１５ａを画定する流れ制限インサート６４１ａは、コネクタ６４４ａにおける凹部に受容され、典型的なグランド６４３ａは、保持体凹部およびインサートを封止する面シールＯリング６４５ａを含む。グランド６４３ａは、流れ制限デバイスの第１の本体部材における雄ねじゼロクリアランス継手本体と接続するための雌ねじゼロクリアランス継手ナット６４８ａを保持し、保持体は、流れ制限デバイスの第２の本体部材における雌ねじゼロクリアランス継手ナットと接続するための雄ねじゼロクリアランス継手本体６４９ａを画定する。流れ制限インサート６４１ａを修理（たとえば清掃）または交換するために、継手ナット６４８ａは、デバイス（不図示）の雄ねじ継手本体から螺合解除され、コネクタ６４４ａは、流れ制限要素サブアセンブリ６４０ａをデバイスから取り外すためにデバイス（不図示）の雌ねじナットから螺合解除される。グランド６４３ａは、その後、流れ制限インサート６４１ａの取外しおよび修理／再取付けまたは交換のためにコネクタ６４４ａから螺合解除される。あるいは、流れ制限要素サブアセンブリ６４０ａ全体が交換され得る。
【００４５】
図１４Ｂは、雌ねじ（たとえばＮＰＴねじ）端を有する第１の雄ねじゼロクリアランスコネクタ６４３ｂと、連結体を形成するために雌ねじ端と接合された相手側雄ねじ（たとえばＮＰＴねじ）端を有する第２の雄ねじゼロクリアランスコネクタ６４４ｂとを含む２ピース本体６４２ｂを有する他の典型的な流れ制限要素６４０ｂを示す。流れ制限オリフィス６１５ｂを画定する流れ制限インサート６４１ｂは、第１のコネクタ６４３ｂの凹部に受容され、第２のコネクタ６４４ｂの雄ねじ端の端面６４６ｂによって第１のコネクタの座繰り部６４５ｂに固定され得る。流れ制限インサート６４１ｂを修理（たとえば清掃）または交換するために、第１および第２の雄コネクタ６４３ｂ、６４４ｂは、流れ制限要素サブアセンブリ６４０ｂをデバイスから取り外すために、デバイスの対応する雌ねじナット（不図示）から螺合解除される。第１および第２の雄コネクタ６４３ｂ、６４４ｂは、その後、流れ制限インサート６４１ｂの取外しおよび修理／再取付けまたは交換のために、互いに螺合解除され得る。あるいは、流れ制限要素サブアセンブリ６４０ｂ全体が交換され得る。
【００４６】
図１４Ｃは、雌ねじゼロクリアランスナット６４８ｃによってグランド６４４ｃと接合された雄ねじゼロクリアランスコネクタ６４３ｃを含む２ピース構造を有する典型的な流れ制限要素６４０ｃを示す。流れ制限オリフィス６１５ｃを画定する流れ制限インサート６４１ｃは、雄コネクタ６４３ｃに組み付けられた（たとえば雄ねじ端の端面溝内に保持された）面シールＯリング６４５ｃと、グランド６４４ｃに組み付けられた（たとえばグランドの端面溝内に保持された）面シールＯリング６４６ｃとの間に受容され、封止される。典型的な実施形態において、雄コネクタ６４３ｃには、第１の（たとえば入口、出口）ポートを画定する第１の継手本体および第１の（たとえば上流、下流）センサポートを保持するセンサが取り付けられ（たとえば溶接、連結、または一体加工され）、グランドには、第２の（たとえば入口、出口）ポートを画定する第２の継手本体および第２の（たとえば上流、下流）センサポートを保持するセンサが取り付けられ（たとえば溶接、連結）され得る。流れ制限インサート６４１ｃを修理（たとえば清掃）または交換するために、雌ねじナット６４８ｃは、雄ねじコネクタ６４３ｃから螺合解除され、流れ制限インサート６４１ｃは、流れ制限インサート６４１ｃの修理／再取付けまたは交換のために、面シールＯリング６４５ｃ、６４６ｃとの係合から抜き取られる。
【００４７】
他の実施形態において、流れ制限要素は、本体に組み付けられた、または本体と一体を成す流れ制限を有する単一ピース本体として提供され得る。図１４Ｄは、第１および第２の雄ねじゼロクリアランス接続６４８ｄ、６４９ｄと、（たとえば図示のように中央に位置する）貫通ボア６４７ｄに沿って一体形成された流れ制限６１５ｄとを含む単一ピース本体６４２ｄを有する典型的な流れ制限要素６４０ｄを示す。流れ制限６１５ｄを修理（たとえば清掃）または交換するために、第１および第２の雄接続６４８ｄ、６４９ｄは、流れ制限要素６４０ｄをデバイスから取り外すために、デバイスの対応する雌ねじナット（不図示）から螺合解除される。
【００４８】
他の実施形態において、流れ制限インサートは、たとえばねじ係合、プレスフィット係合、または保持クリップ係合を用いて単一ピース流れ制限要素本体に組み付けられてよく、いくつかの実施形態において、流れ制限要素本体とインサートの外周との間の漏洩を防ぐためにガスケットまたはシールを含んでよい。図１４Ｅは、第１および第２の雄ねじゼロクリアランス接続６４８ｅ、６４９ｅと、本体の貫通ボア６４７ｅ内に取り付けられ（たとえば貫通ボア内の座繰りに据え置かれ）た（オリフィス６１５ｅを画定する）圧入オリフィスディスクまたは開口インサート６４１ｅとを含む単一ピース本体６４２ｅを有する典型的な流れ制限要素６４０ｅを示す。図１４Ｆは、第１および第２の雄ねじゼロクリアランス接続６４８ｆ、６４９ｆと、多孔質流路６１５ｆを画定するために本体の貫通ボア６４７ｆ内に取り付けられ（たとえば貫通ボア内の座繰りに据え置かれ）た圧入焼結要素または多孔質インサート６４１ｆとを含む単一ピース本体６４２ｆを有する典型的な流れ制限要素６４０ｆを示す。流れ制限インサートは、図１４Ｅおよび図１４Ｆに示すように、端部接続間で貫通ボアの中央部に位置し得るが、他の実施形態において、流れ制限インサートは、貫通ボアの端部において、端部接続の少なくとも１つ内に取り付けられ得る。図１４Ｇは、第１および第２の雄ねじゼロクリアランス接続６４８ｇ、６４９ｇと、多孔質流路６１５ｇを画定するために第１の端部接続６４８ｇにおいて貫通ボア６４７ｇの端部に取り付けられ（たとえば貫通ボア内の座繰りに据え置かれ）た圧入焼結要素または多孔質インサート６４１ｇとを含む単一ピース本体６４２ｇを有する典型的な流れ制限要素６４０ｇを示す。図１４Ｈは、第１および第２の雄ねじゼロクリアランス接続６４８ｈ、６４９ｈと、第１の端部接続６４８ｈにおいて貫通ボア６４７ｈの雌ねじ端部に取り付けられた（オリフィス６１５ｈを画定する）制限器止めねじまたはねじ開口インサート６４１ｈとを含む単一ピース本体６４２ｈを有する典型的な流れ制限要素６４０ｈを示す。図１４Ｉは、第１および第２の雄ねじゼロクリアランス接続６４８ｉ、６４９ｉと、第１の端部接続６４８ｉにおいて貫通ボア６４７ｉの端面座繰りに取り付けられ（たとえばスナップフィットまたはプレスフィットされ）た（オリフィス６１５ｉを画定する）オリフィスディスクまたは開口インサート６４１ｉとを含む単一ピース本体６４２ｉを有する典型的な流れ制限要素６４０ｉを示す。１つのそのような実施形態において、第１の端部接続６４８ｉのＯリングシール６４５ｉは、オリフィスディスク６４１ｉの外周と座繰りとの間のシールを提供する。
【００４９】
流れ制限インサート６４１ｅ〜ｈを修理（たとえば清掃）または交換するために、第１および第２の雄接続６４８ｅ〜ｈ、６４９ｅ〜ｈは、流れ制限要素６４０ｅ〜ｈをデバイスから取り外すために、デバイスの対応する雌ねじナット（不図示）から螺合解除される。インサート６４１ｅ〜ｈは、清掃または修理のために本体６４２ｅ〜ｈから取り外され（たとえば螺合解除され、押し出され）得る。あるいは、流れ制限要素６４０ｅ〜ｈ全体が交換され得る。
【００５０】
図１４に戻ると、典型的な流体監視モジュール６００は、流れ感知デバイス６０５に取り付けられ（たとえば流れ感知デバイス６０５を少なくとも部分的に封入し）、６５０で図示された（図１０Ａ〜１３Ｃの実施形態のコントローラ５５０と同様であってよい）コントローラを封入するエンクロージャ（６０１で図示）を含む。センサ６２０、６３０は、圧力および温度表示信号をコントローラへ送信するためにコントローラ６５０に（たとえばモジュールエンクロージャ内の配線によって）接続される。コントローラ６５０は、たとえば、流れ感知デバイスを通過する流体の圧力、温度、および／または流速を決定し、および／またはこれらのパラメータの任意の１または複数の測定出力を提供するために、圧力および温度表示信号を処理するように構成される。図１０Ａ〜１３Ｃの典型的な実施形態と同様、モジュール６００には、上記で詳しく説明したような、１または複数の内部バッテリ６６０、流体データを遠隔デバイスへ無線送信するための（たとえばコントローラ６５０の回路板に設けられた）無線送信器、遠隔デバイスとの向上した無線通信のためにコントローラ送信器と電気接続された外部アンテナ６５５、たとえばコントローラをオンにし、コントローラをオフにし、またはコントローラをコミッション／同期するための、たとえば１または複数のノブ、スイッチ、またはボタンなどのユーザインタフェース、および１または複数の表示要素（たとえば表示器ＬＥＤおよび／または表示スクリーン）の１または複数が更に提供され得る。
【００５１】
エンクロージャ６０１には、たとえば流れ制限要素の取外しおよび／または交換を容易にするために流れ感知デバイスを露出させるために可動または取外し可能でありながら、流れ感知デバイス６０５を選択的に封入するためのカバーまたは蓋（不図示）が提供され得る。
【００５２】
流れ感知デバイスからの流れ制限要素の取外しおよび／または交換を容易にするために、また他の構造が用いられ得る。図１５は、横方向外向きに延びる入口および出口ポート７１１、７１２を画定する第１のランポートと、（上流および下流センサ７２０、７３０を保持する）横方向内向きに延びる上流および下流センサポート７１３、７１４を画定する第２のランポートと、Ｕ字形流れ制限要素７４０の第１および第２の端部の横方向に延びるコネクタ７４８、７４９と接続するための、（図面から外向きに延びる）入口／出口ポート７１１、７１２およびセンサポート７１３、７１４に垂直に横方向に延びる第１および第２の接続７１８、７１９を画定する分岐ポートとを含む第１および第２のＴ字形本体部材７１０ａ、７１０ｂを有する流れ感知デバイス７０５を含む流体監視モジュール７００を概略的に示す。Ｕ字形流れ制限要素７４０は、たとえば、第１および第２の端部接続７４８、７４９が（たとえば溶接または一体形成によって）取り付けられるＵ字形連結体７４２内に保持された１または複数のインサート７４１（たとえばプラグ、プレートなど）において形成され得る１または複数の流れ制限通路７１５を画定する、軸方向に延びる部分を含む。連結体７４２は、連結体からのインサート７４１の取外しおよび／または交換を容易にするために取外し可能な１または複数のコネクタ７４４を含む多ピースアセンブリとして提供され得る。１つの実施形態において、流れ制限インサート（複数も可）は、異なる流速、流路、材料、または他のそのような特性を提供する代替流れ制限インサートと交換するために連結体から取外し可能であってよい。他の実施形態において、流れ制限要素全体が交換されるように、流れ制限部品は、連結体と一体またはモノリシックに形成され得る。
【００５３】
流れ制限要素７４０のＵ字形構成は、流れ感知デバイス７０５からの取外しを容易にし、たとえば管継手、急速着脱継手、および押込み式継手を含む、ゼロクリアランス接続ではない端部接続（たとえば、広範なシステム条件を許容するためにエラストマシールを使用しない継手）の使用を容易にし得る。
【００５４】
本開示の他の態様によると、流体監視モジュールには、たとえば、モジュールハウジングを取り外し、分解し、または調整することなく流れ制限要素の取外しを容易にするために、流れ感知デバイスの少なくとも流れ制限要素が流体監視モジュールのハウジングの外側にあるように配置された流れ感知デバイスが提供され得る。一例として、図１６Ａに示すように、たとえば流れ制限要素４４０ａの取外しおよび交換／修理を容易にするために、流れ制限要素４４０ａ（たとえば図１４Ａ〜Ｉの典型的な流れ制限要素６４０ａ〜ｉのいずれか）がモジュールエンクロージャ４０１ａの外側に配置されるように、流体監視モジュール４００ａには、モジュールエンクロージャ４０１ａ内に封入されたコントローラに（図１〜１３Ｃの実施形態のセンサ１２０、１３０、５２０、５３０と同様であってよい）保持センサを電気接続するためにモジュールエンクロージャ４０１ａに取り付けられた第１（たとえば上流）および第２（たとえば下流）のセンサポート４１３ａ、４１４ａを有する流れ感知デバイス４０５ａが提供され得る。
【００５５】
図１６Ａの実施形態において、流れ感知デバイス４０５ａは、横方向外向きに延びる入口および出口ポート４１１ａ、４１２ａを画定する第１のランポートと、横方向内向きに延びる上流および下流センサポート４１３ａ、４１４ａを画定する第２のランポートと、流れ制限要素４４０ａとの接続のための軸方向に延びる第１および第２の制限器接続４１８ａ、４１９ａを画定する分岐または接続ポートとを含む第１および第２のＴ字形本体部材４１０ａ−１、４１０ａ−２を含む。上述したように、制限器接続４１８ａ、４１９ａは、流れ制限要素４４０ａの取外しを容易にするためのゼロクリアランス接続であってよい。
【００５６】
他の典型的な構造において、図１６Ｂに示すように、流体監視モジュール４００ｂは、軸方向に延びる入口および出口ポート４１１ｂ、４１２ｂを画定する第１のランポートと、流れ制限要素４４０ｂ（たとえば図１４Ａ〜Ｉの典型的な流れ制限要素６４０ａ〜ｉのいずれか）との接続のための軸方向に延びる第１および第２の制限器接続４１８ｂ、４１９ｂを画定する第２のランポートと、モジュールエンクロージャ４０１ｂ内に封入されたコントローラに（図１〜１３Ｃの実施形態のセンサ１２０、１３０、５２０、５３０と同様であってよい）保持センサを電気接続するためにモジュールエンクロージャ４０１ｂに取り付けられた横方向内向きに延びるセンサポート４１３ｂ、４１４ｂを画定する分岐または接続ポートとを含む第１および第２のＴ字形本体部材４１０ｂ−１、４１０ｂ−２を有する外付け流れ感知デバイス４０５ｂを含む。
【００５７】
他の典型的な構造において、図１６Ｃに示すように、流体監視モジュール４００ｃは、横方向外向きに延びる入口および出口ポート４１１ｃ、４１２ｃを画定する第１のランポートと、モジュールエンクロージャ４０１ｃ内に封入されたコントローラに（図１〜１３Ｃの実施形態のセンサ１２０、１３０、５２０、５３０と同様であってよい）保持センサを電気接続するためにモジュールエンクロージャ４０１ｃに取り付けられた、横方向内向きに延びる第１および第２の（たとえば上流および下流）センサポート４１３ｃ、４１４ｃを画定する第２のランポートと、（図１５の流れ制限要素７４０と同様であってよい）Ｕ字湾曲流れ制限要素４４０ｃと接続するための垂直横方向に延びる第１および第２の制限器接続４１８ｃ、４１９ｃを画定する分岐ポートとを含む第１および第２のＴ字形本体部材４１０ｃ−１、４１０ｃ−２を有する外付け流れ感知デバイス４０５ｃを含む。
【００５８】
流れ感知デバイスのセンサポートをモジュールエンクロージャに取り付けるために、多数の様々な構造が用いられ得る。図１７は、モジュールエンクロージャ４０１’の取付け開口部４０８’を通って受容され、雄コネクタ４１３’と螺合したパネルナット４８１’によってモジュールエンクロージャに固定された、雄ねじセンサポートまたはコネクタ４１３’を含む流れ感知デバイス本体部材４１０’を含む典型的な構造を示す。センサ４２０’は、センサポートコネクタ４１３’内に取り付けられ、センサ４２０’の表面と係合するようにセンサポート４１３’を通って延びる保持カラー４８５’によって座繰り４８３’に固定される。継手ナット４８７’は、保持カラー４８５’の端部４８６’を固定するために雄コネクタ４１３’に螺合して組み付けられ、ワイヤコネクタ４８９’（たとえばＭ８コネクタ）は、センサ４２０’からの配線４２３’とコントローラ（不図示）との間の接続を提供するために保持カラー端部４８６’の中央ボア内に取り付けられる。ガスケットシール４８２’、４８４’、４８８’（たとえばＯリングシール）は、たとえばモジュールエンクロージャ４０１’を水分または他の汚染物質から封止するために、本体部材４１０’とモジュールエンクロージャ４０１’との間、保持カラー４８５’と雄コネクタ４１３’との間、および雄コネクタ４１３’とワイヤコネクタ４８９’との間に提供され得る。センサ４２０’の周囲のガスケットシール４２２’（たとえばＯリングシール）は、センサ４２０’を通過するシステム流体漏洩を防ぐための漏洩防止シールを提供する。
【００５９】
他の典型的な構造において、たとえば図１６Ｄに示すように、流体監視モジュール４００ｄには、たとえば流れ制限要素４４０ｄの取外しおよび交換／修理を容易にするために流れ制限要素４４０ｄがモジュールエンクロージャ４０１ｄの外側に配置されるように、モジュールエンクロージャ４０１ｄ内に封入されたコントローラに（たとえば上述したような）保持センサを電気接続するために（たとえば図１７の構造を用いて）モジュールエンクロージャ４０１ｄに取り付けられた第１の（たとえば上流）センサポート４１３ｄを有する第１の本体部材４１０ｄ−１と、モジュールエンクロージャから離間し、モジュールエンクロージャ４０１ｄ内に封入されたコントローラに（たとえば第２のセンサポート４１４ｄからモジュールエンクロージャ４０１ｄへ延びる可撓性配線４５２ｄによって）電気接続された（たとえば上述したような）センサを保持する第２の（たとえば下流）センサポート４１４ｄを有する第２の本体部材４１０ｄ−２とを有する流れ感知デバイス４０５ｄが提供され得る。単一センサポート取付け構造は、様々なサイズの流れ制限要素（たとえばセンサポート間の様々なオフセット寸法、様々な長さの流れ制限）および／または様々なサイズのモジュールエンクロージャを用いることを可能にし得る。また、単一センサポート取付け構造は、第２のセンサポートが固定的に取り付けられていないので、（たとえば接続内の高分子シールを排除するために）ゼロクリアランス接続を用いることなく流れ感知デバイス４０５ｄからの流れ制限要素４４０ｄの取外しを容易にし得る。
【００６０】
また他の典型的な構造において、たとえば図１６Ｅに示すように、流体監視モジュール４００ｅには、たとえば流れ制限要素４４０ｅの取外しおよび交換／修理を容易にするために流れ制限要素４４０ｅがモジュールエンクロージャ４０１ｅの外側に配置されるように、入口および出口ポート４１１ｅ、４１２ｅと、モジュールエンクロージャ４０１ｅから離間し、モジュールエンクロージャ４０１ｅ内に封入されたコントローラに（たとえば第１および第２のセンサポート４１３ｅ、４１４ｅからモジュールエンクロージャ４０１ｅへ延びる可撓性配線４５１ｅ、４５２ｅによって）電気接続された（たとえば上述したような）センサを保持する第１および第２の（たとえば上流および下流）センサポート４１３ｅ、４１４ｅとを画定する第１および第２の本体部材４１０ｅ−１、４１０ｅ−２を有する流れ感知デバイス４０５ｅが提供され得る。分離した、または遠隔の有線接続センサポート構造は、様々なサイズの流れ制限要素（たとえばセンサポート間の様々なオフセット寸法、様々な長さの流れ制限）および／または様々なサイズのモジュールエンクロージャを用いることを可能にし得る。また、有線接続センサポート構造は、センサポートが固定的に取り付けられておらず、互いに対し容易に動かすことができるので、（たとえば接続内の高分子シールを排除するために）ゼロクリアランス接続を用いることなく流れ感知デバイス４０５ｅからの流れ制限要素４４０ｅの取外しを容易にし得る。また、１つのそのような構成において、モジュール４００ｅは、たとえば多数の流れ感知デバイスを有する監視モジュールの使用を可能にし、または監視モジュールにメンテナンスを行うために、センサ配線４５１ｅ、４５２ｅから容易に切断するように構成され得る。
【００６１】
本開示の他の態様によると、流体監視モジュールは、多数の流体ライン内の、またはたとえば（たとえばフィルタまたは流体ライン汚染の表示として）経時的な圧力の変化を監視するために単一の流体ライン内の多数の位置での流体条件の個別の感知を提供するように構成または適合され得る。１つのそのような構造において、流れ制限は排除されてよく、流れ感知構造が個別のセンサ係合流路を提供する。一例として、図１８Ａに示すように、流体監視モジュール３００ａには、第１および第２の（たとえば入口および出口）ポート３１１ａ−１、３１１ａ−２、３１２ａ−１、３１２ａ−２、およびモジュールエンクロージャ３０１ａ内に封入されたコントローラに保持センサ（上述したような）を電気接続するためにモジュールエンクロージャ３０１ａに取り付けられた第１および第２のセンサポート３１３ａ−１、３１３ａ−２を有する個別の第１および第２の感知デバイス３０５ａ−１、３０５ａ−２が提供され得る。
【００６２】
他の例として、外部流れ制限要素を有する流体監視モジュールは、１または複数のブラインドまたはブランクカップリング部材を用いて流れ制限を分離することによって、個別の流れ感知デバイスを有する流体監視モジュールに変換され得る。図１８Ｂは、２つの個別のデッドレッグ流体監視位置を提供するために、第１および第２の本体部材３１０ｂ−１、３１０ｂ−２の接続３１８ｂ、３１９ｂの間に取り付けられた流体遮断ブラインドまたはブランクカップリング３４０ｂと流れ制限要素が置き換えられた点以外、図１６Ａの流体監視モジュール４００ａと同様である典型的な流体監視モジュール３００ｂを示す。代替（不図示）として、個別のプラグが、対向する本体部材接続に組み付けられ得る。
【００６３】
図１８Ｃは、モジュールエンクロージャ３０１ｃに取り付けられたセンサポート３１３ｃ、３１４ｃ、第１の軸方向外向きに延びるポート３１１ｃ−１、３１１ｃ−２、第２の横方向外向きに延びるポート３１２ｃ−１、３１２ｃ−２、および軸方向内向きに延びる制限器接続３１８ｃ、３１９ｃを有する第１および第２の十字形流れ感知本体３１０ｃ−１、３１０ｃ−２を含む典型的な流体監視モジュール３００ｃを示す。監視モジュール３００ｃを用いて流速を監視するために、流れ制限要素（たとえば図１４Ａ〜１４Ｉの流れ制限要素４４０ａ〜ｈのいずれか）は、制限器接続３１８ｃ、３１９ｃに組み付けられてよく、第１の流れ感知本体３１０ｃ−１のポート３１１ｃ−１、３１２ｃ−１の１つは、流体入口ラインと接続されてよく、第２の流れ感知本体３１０ｃ−２のポート３１１ｃ−２、３１２ｃ−２の１つは、流体出口ラインと接続されてよく、２つの使われないポートは塞がれ得る。監視モジュール３００ｃを用いて２つの別々の流体位置を監視するために、（たとえば図１８Ｄに示すような）ブランクまたはブラインドカップリング３４０ｃまたは（たとえば図１８Ｅに示すような）ブランク／ブラインドインサート３４１ｃは、制限器接続３１８ｃ、３１９ｃに組み付けられてよく、第１および第２の流れ感知本体３１０ｃ−１、３１０ｃ−２の各々のポート３１１ｃ−１、３１２ｃ−１、３１１ｃ−２、３１２ｃ−２の１つは、第１および第２の流体入口ラインと接続されてよく、第１および第２の流れ感知本体３１０ｃ−１、３１０ｃ−２の各々のその他のポートは、第１および第２の流体出口ラインと接続され得る。
【００６４】
本開示の他の態様によると、流体監視モジュールは、流量、温度、および／または圧力条件の測定のために流体ラインに選択的に接続されるように構成され得ることにより、多数の流体ラインのために単一の流体監視モジュールを用いることを可能にする、独立したポータブルデバイスとして提供されるように構成され得る。
【００６５】
図１９は、（たとえば流れ制限カップリング、弁などに提供された）設計加工流れ制限Ｒを有する流体ラインＬおよび流体監視モジュール８００を含む典型的なシステムを示す。流体ラインＬは、流体監視モジュール８００の上流および下流センサポート８１３、８１４のセンサポートコネクタ８１１、８１２と（たとえば相手側急速着脱カップリングを用いて）接続するために、流れ制限Ｒの上流および下流に分岐コネクタＣ１、Ｃ２（たとえば急速着脱カップリング）を含む。（上述したセンサと同様であってよい）上流および下流センサ８２０、８３０は、上流および下流センサポート８１３、８１４内に密封して取り付けられ、流体監視モジュール８００のエンクロージャ８０１内に配置されたコントローラ８５０に電気接続される。図１０Ａ〜１３Ｃの典型的な実施形態と同様に、モジュール８００には、上記で詳しく説明するような、１または複数の内部バッテリ、流れデータを遠隔デバイスへ無線送信するための（たとえばコントローラ８５０の回路板に設けられた）無線送信器、遠隔デバイスとの向上した無線通信のためにコントローラ送信器と電気接続された外部アンテナ、たとえばコントローラをオンにし、コントローラをオフにし、またはコントローラをコミッション／同期するための、たとえば１または複数のノブ、スイッチ、またはボタンなどのユーザインタフェース、および１または複数の表示要素（たとえば表示器ＬＥＤおよび／または表示スクリーン）の１または複数が更に提供され得る。
【００６６】
流体ラインＬの流れ条件を監視するために、上流センサポートコネクタ８１１は、流れ制限Ｒの上流で圧力および／または温度を測定するために上流流体ライン分岐コネクタＣ１と接続され、下流センサポートコネクタ８１２は、流れ制限Ｒの下流で圧力および／または温度を測定するために下流流体ライン分岐コネクタＣ２と接続される。対応する信号が、センサ８２０、８３０から、圧力、温度、流速、および／または他の流体条件の（たとえば、ユーザインタフェースまたは遠隔コンピュータへのデータ通信による）計算および識別のためにコントローラ８５０へ送信される。
【００６７】
他の実施形態において、流体監視モジュールは、流体の圧力および温度のみを測定し、流速を測定しないように構成され得る。そのような構造において、モジュールには、単一のセンサポートおよびセンサが提供され得る。図２０は、流体ラインＬおよび流体監視モジュール９００を含む典型的なシステムを示す。流体ラインＬは、流体監視モジュール９００のセンサポート９１３のセンサポートコネクタ９１１と（たとえば相手側急速着脱カップリングを用いて）接続するための分岐コネクタＣ（たとえば急速着脱カップリング）を含む。（上述したセンサと同様であってよい）センサ９２０は、センサポート９１３内に密封して取り付けられ、流体監視モジュール９００のエンクロージャ９０１内に配置されたコントローラ９５０に電気接続される。図１０Ａ〜１３Ｃの典型的な実施形態と同様に、モジュール９００には、上記で詳しく説明するような、１または複数の内部バッテリ、流体データを遠隔デバイスへ無線送信するための（たとえばコントローラ９５０の回路板に設けられた）無線送信器、遠隔デバイスとの向上した無線通信のためにコントローラ送信器と電気接続された外部アンテナ、たとえばコントローラをオンにし、コントローラをオフにし、またはコントローラをコミッション／同期するための、たとえば１または複数のノブ、スイッチ、またはボタンなどのユーザインタフェース、および１または複数の表示要素（たとえば表示器ＬＥＤおよび／または表示スクリーン）の１または複数が更に提供され得る。他の応用において、単一のセンサ監視モジュール９００が、流体ラインＬ内の設計加工流れ制限Ｒの上流および下流で連続的に圧力を測定するために、上流分岐コネクタＣ１において、および下流分岐コネクタＣ２において連続的に圧力を測定するために用いられてよく（図１６を参照）、それによって、コントローラ９５０が１つのみのセンサを用いて流体ライン内の流速を計算することが可能である。
【００６８】
他の実施形態において、ポータブル式の選択的に接続可能な流体監視モジュールは、上流および下流センサポートの間の流れ制限通路を有するバイパス流路を含むことにより、たとえば流れ制限の汚染または腐食を最小限にするために、流体ラインから流れ制限をなくすことを可能にし得る。
【００６９】
図２１は、流体ラインＬおよび流体監視モジュール１０００を含む典型的なシステムを示す。流体ラインＬは、モジュール１０００の入口および出口コネクタ１０１１、１０１２（たとえば相手側急速着脱カップリング）と接続するための上流および下流分岐コネクタＣ１、Ｃ２（たとえば急速着脱カップリング）を含む。モジュール１０００は更に、上流通路１０１６によって入力コネクタ１０１１に接続された上流センサポート１０１３、および下流通路１０１７によって出口コネクタ１０１２に接続された下流センサポート１０１４を更に含む。（上述したセンサと同様であってよい）上流および下流センサ１０２０、１０３０は、上流および下流センサポート１０１３、１０１４内に密封して取り付けられ、流体監視モジュール１０００のエンクロージャ１００１内に配置されたコントローラ１０５０に電気接続される。上流および下流通路１０１６、１０１７は、流れ制限通路１０１５によって接続される。入口および出口コネクタ１０１１、１０１２、上流および下流センサポート１０１３、１０１４、内部通路１０１６、１０１７、および流れ制限通路１０１５は、本明細書で説明される多数の典型的な実施形態において示すように、モジュールエンクロージャ１００１に組み付けられた流れ感知デバイス１００５内に提供され得る。
【００７０】
図１０Ａ〜１３Ｃの典型的な実施形態と同様に、モジュール１０００には、上記で詳しく説明するような、１または複数の内部バッテリ、流れデータを遠隔デバイスへ無線送信するための（たとえばコントローラ１０５０の回路板に設けられた）無線送信器、遠隔デバイスとの向上した無線通信のためにコントローラ送信器と電気接続された外部アンテナ、たとえばコントローラをオンにし、コントローラをオフにし、またはコントローラをコミッション／同期するための、たとえば１または複数のノブ、スイッチ、またはボタンなどのユーザインタフェース、および１または複数の表示要素（たとえば表示器ＬＥＤおよび／または表示スクリーン）の１または複数が更に提供され得る。
【００７１】
流体ラインＬの流れ条件を監視するために、モジュールの入口コネクタ１０１１は、上流流体ライン分岐コネクタＣ１と接続され、出口コネクタ１０１２は、下流流体ライン分岐コネクタＣ２と接続される。遮断弁Ｖは、上流および下流分岐コネクタＣ１、Ｃ２の間で流体ラインＬ内に配置されてよく、流体監視モジュール１０００を通る全ての流体ライン流をバイパスさせるために遮断してよい。あるいは、流体監視モジュール１０００を通る流体ラインＬからの流体流を逸らすために、（Ｖ１、Ｖ２で幻像として示された）切換え弁が用いられ得る。上流センサ１０２０は、流れ制限通路１０１５の上流の圧力および／または温度を測定し、下流センサ１０３０は、流れ制限通路１０１５の下流の圧力および／または温度を測定する。対応する信号は、センサ１０２０、１０３０から、圧力、温度、流速、および／または他の流体条件の（たとえばユーザインタフェースまたは遠隔コンピュータへのデータ通信による）計算および識別のためにコントローラ１０５０へ送信される。
【００７２】
また他の実施形態において、ポータブル流体監視モジュールには、流体部品（たとえばポート、コネクタ、通路）が提供されず、オペレータが、ポータブル流体監視モジュールを一体型流体センサ（複数も可）の付近に持ち込むことによって流体システム内の１または複数の位置で流体監視動作を実行し得るように、システムの流体ラインに一体化された１または複数の流体センサと無線通信するための無線トランシーバが提供され得る。
【００７３】
図２２は、（たとえば流れ制限カップリング、弁などに提供された）設計加工流れ制限Ｒを有する流体ラインＬおよびポータブル流体監視モジュール１４００を含む典型的なシステムを示す。流体ラインＬは、流れ制限１４１５の上流および下流に（上述したセンサと同様であってよい）流体センサ１４２０、１４３０を含む。流体センサ１４２０、１４３０および流れ制限１４１５は流体ラインＬに一体化され得るが、典型的な実施形態において、流体センサおよび流れ制限は、流体ラインＬとの連結および分離を容易にするように構成されたコネクタ１４１１、１４１２（たとえばゼロクリアランス継手）を含む個別の流れ感知デバイス１４０５内に提供され得る。流れ制限１４１５は、流れ感知デバイス１４０５からの流れ制限要素の取外しを容易にするためのコネクタ１４４８、１４４９を有する流れ制限要素１４４０内に提供され得る。
【００７４】
流体監視モジュール１４００は、流体監視モジュール１４００がセンサ１４２０、１４３０と近接している時、たとえばアンテナ１４７５を介して、流体センサ１４２０、１４３０と無線通信（たとえばＲＦＩＤ、Ｂｌｕｅｔｏｏｔｈ、ＮＦＣ、または他のそのような無線通信）するように構成されたトランシーバ１４７０を含む。無線通信は、近接している時に（たとえばトランシーバによる定期的なクエリまたはピング送信の結果として）自動的に開始してよく、またはボタンまたは他のそのようなユーザインタフェースの作動によるものであってよい。トランシーバ１４７０は、流体システムに対応する受信データ信号（たとえば識別コード、上流／下流圧力、温度、タイムスタンプ）をモジュールエンクロージャ１４０１内のコントローラ１４５０へ通信する。図１０Ａ〜１３Ｃの典型的な実施形態と同様に、モジュール１４００には、上記で詳しく説明するような、１または複数の内部バッテリ１４６０、流れデータを遠隔デバイスへ無線送信するための（たとえばコントローラ１４５０の回路板に設けられた）無線送信器、遠隔デバイスとの向上した無線通信のためにコントローラ送信器と電気接続された外部アンテナ１４５５、たとえばコントローラをオンにし、コントローラをオフにし、またはコントローラをコミッション／同期するための、たとえば１または複数のノブ、スイッチ、またはボタンなどのユーザインタフェース、および１または複数の表示要素（たとえば表示器ＬＥＤおよび／または表示スクリーン）の１または複数が更に提供され得る。
【００７５】
１つの実施形態において、流体監視モジュール１４００は、センサ１４２０、１４３０との通信を開始し、受信したデータ信号を処理し、流体システム条件に関するデータを表示し、および／または流体データを遠隔システムへ送信するように構成されたソフトウェアまたはウェブベースのアプリケーションを提供され得るスマートフォンまたは他のそのようなポータブルコンピューティングデバイスであってよい。
【００７６】
本開示の他の態様によると、外部デバイスと通信するために構成されたコントローラを有する流体監視モジュールは更に、他の近接流体システム部品の特性および特徴を追跡または監視のための外部デバイスへ通信するために、これらの近接流体システム部品からのデータ送信を受信するように構成され得る。一例として、（たとえばオフサイトの実験室分析のためのグラブサンプリングを得るために）流体システムに選択的に接続されたポータブルサンプルシリンダは、サンプルシリンダが流体監視モジュールに近接している時に流体システムの流体監視モジュールと直接または間接的に通信するように構成された通信回路（たとえばＲＦＩＤタグ）を含んでよい。一例として、流体監視モジュールは、サンプルシリンダが流体監視モジュールの範囲内に持ち込まれた時、（たとえばリーダからの定期的なクエリまたはピングに応答することによって）サンプルシリンダと共に提供されたＲＦＩＤタグまたは送信器との無線通信（たとえば近距離通信、Ｂｌｕｅｔｏｏｔｈ（登録商標）通信、または他のそのような短距離有線または無線通信）を開始するように構成されたＲＦＩＤリーダを含んでよく、またはＲＦＩＤリーダと（たとえば有線または無線接続によって）接続され得る。他の実施形態において、ＲＦＩＤタグ／送信器とＲＦＩＤリーダとの間の通信は、ユーザ作動型プッシュボタンスイッチによって、またはサンプルシリンダが流体システムに接続した時またはシリンダを充填するために弁が開放した時に自動的に作動するスイッチによって開始され得る。
【００７７】
図２３は、流体監視モジュール１３００（たとえば本明細書で説明する流体監視モジュールのいずれか）と共に取り付けられる流体ラインＬを含む典型的なシステムを概略的に示す。流体ラインＬは、たとえば流体ライン内の流体のグラブサンプルを得るために、サンプルシリンダ１３７０が（たとえば急速着脱カップリング接続によって）接続され得る分岐コネクタＣを含む。サンプルシリンダ１３７０は、流体監視モジュール１３００に提供または接続されたＲＦＩＤリーダ１３８０へサンプルシリンダに関するデータ（たとえばシリアル／ＩＤ番号、流体ラインＬへの接続時間に関連するタイムスタンプ）を通信するためのＲＦＩＤタグ／送信器１３７５を含む。ＲＦＩＤリーダ１３８０によって受信されたデータは、モジュール１３００のコントローラ１３５０へ（たとえばコントローラとＲＦＩＤリーダとの間の有線または無線接続によって）通信され、コントローラによって収集された他の同時流体システムデータ（たとえば、センサ１３２０、１３３０によって測定されたような流体ライン内の流体の流速、圧力、温度、モジュール１３００のシリアル／ＩＤ番号）とコンパイルされ、たとえばモジュールバッテリ１３６０による給電時にたとえば無線ゲートウェイ１３９０を介して送信器アンテナ１３５５を介して外部デバイスへ無線通信され得る。そのような構造は、そのようなデータ収集および無線通信のためのハブとして流体監視モジュールを用いることによって、グラブサンプル装置に独立した電力および無線送信機能を提供することなく、グラブサンプリング動作のリアルタイム追跡を可能にする。
【００７８】
他の応用において、他のデータが、流体監視モジュールを介して収集および通信され得る。たとえば、（たとえばユーザＩＤ  ＲＦＩＤタグから収集されたような）オペレータ識別データおよび関連するタイムスタンプは、たとえばグラブサンプリング、メンテナンス、システム遮断など、１または複数の動作が行われた時、コントローラへ送信され得る。
【００７９】
本発明の態様は、典型的な実施形態を参照して説明された。本明細書を閲読し理解することにより、他者は修正および改変に思い至る。そのような修正および改変が添付の特許請求の範囲またはその均等物の範囲内に収まる限り、そのような修正および改変の全てを包含することが意図される。
【図１】
2021536577.tif 000003
【図１Ａ】
2021536577.tif 000004
【図１Ｂ】
2021536577.tif 000005
【図２】
2021536577.tif 000006
【図３】
2021536577.tif 000007
【図４】
2021536577.tif 000008
【図５】
2021536577.tif 000009
【図６】
2021536577.tif 000010
【図７】
2021536577.tif 000011
【図８】
2021536577.tif 000012
【図９】
2021536577.tif 000013
【図１０Ａ】
2021536577.tif 000014
【図１０Ｂ】
2021536577.tif 000015
【図１０Ｃ】
2021536577.tif 000016
【図１１Ａ】
2021536577.tif 000017
【図１１Ｂ】
2021536577.tif 000018
【図１２】
2021536577.tif 000019
【図１３】
2021536577.tif 000020
【図１４】
2021536577.tif 000021
【図１４Ａ】
2021536577.tif 000022
【図１４Ｂ】
2021536577.tif 000023
【図１４Ｃ】
2021536577.tif 000024
【図１４Ｄ】
2021536577.tif 000025
【図１４Ｅ】
2021536577.tif 000026
【図１４Ｆ】
2021536577.tif 000027
【図１４Ｇ】
2021536577.tif 000028
【図１４Ｈ】
2021536577.tif 000029
【図１４Ｉ】
2021536577.tif 000030
【図１５】
2021536577.tif 000031
【図１６Ａ】
2021536577.tif 000032
【図１６Ｂ】
2021536577.tif 000033
【図１６Ｃ】
2021536577.tif 000034
【図１６Ｄ】
2021536577.tif 000035
【図１６Ｅ】
2021536577.tif 000036
【図１７】
2021536577.tif 000037
【図１８Ａ】
2021536577.tif 000038
【図１８Ｂ】
2021536577.tif 000039
【図１８Ｃ】
2021536577.tif 000040
【図１８Ｄ】
2021536577.tif 000041
【図１８Ｅ】
2021536577.tif 000042
【図１９】
2021536577.tif 000043
【図２０】
2021536577.tif 000044
【図２１】
2021536577.tif 000045
【図２２】
2021536577.tif 000046
【図２３】
2021536577.tif 000047
【国際調査報告】
2021536577.tif 000048
2021536577.tif 000049
2021536577.tif 000050
2021536577.tif 000051